(57)【要約】【課題】インク芯の前端を突出させた使用状態では、クリップの開脚ができないようにし、誤ってポケットに収容することを防止する。【解決手段】ボールペン１において、クリップポイント２０を有するクリップ２１を取り付けた本体軸４内に、インク芯２を内蔵させ、このインク芯２と、本体軸４の外周面上に摺動自在に設けたスライダー５とを、一体的に連結するとともに、本体軸４の内周面に設けた係合溝１４と、この係合溝１４に係合する回転子１５と、ノック棒１６とよりなるノック機構３を設けて、インク芯２の後端をノック棒１６と係止させ、スライダー５を軸方向に摺動させることによって、インク芯２の前端が、本体軸４から突出する使用状態と、没入する不使用状態とになし得るようにし、使用状態においては、スライダー５と、クリップ２１におけるクリップポイント２０とを係合させることによって、クリップ２１の開脚を阻止するようにする。【選択図】　　　　図５
2004122733.tif 000002
【特許請求の範囲】
【請求項１】
クリップポイントを有するクリップを取り付けた本体軸内に、インク芯を内蔵させ、このインク芯と、前記本体軸の外周面上を軸方向に摺動自在に設けたスライダーとを、本体軸に軸方向に穿設した長孔を介して、連結具によって一体的に連結するとともに、本体軸の後部内周面に設けた係合溝と、この係合溝に係合する回転子と、ノック棒とよりなるノック機構を設けて、前記インク芯の後端をノック棒と係止させ、前記スライダーを軸方向に摺動させることによって、インク芯の前端が、本体軸の前端開口から突出する使用状態と、インク芯の前端が、本体軸内に没入する不使用状態とになし得るようにし、かつ使用状態においては、スライダーと、クリップにおけるクリップポイントとを係合させることによって、クリップの開脚を阻止するとともに、不使用状態においては、前記係合が解除され、クリップが開脚自在となるようにしたことを特徴とする筆記具。
【請求項２】
クリップポイントの先端に膨大部を設けるとともに、スライダーの外表面に、溝底部が拡幅し、本体軸の軸方向を向く溝部を設け、使用状態においては、クリップポイントの前記膨大部が、スライダーにおける前記拡幅した溝底部に係合して、クリップの開脚が阻止され、かつスライダーを本体軸の軸方向の後方に摺動させることによって、不使用状態になるとともに、前記係合が解除され、クリップが開脚自在となるようにしたことを特徴とする請求項１記載の筆記具。
【請求項３】
インク芯を、インク収容部の前端にボールチップを、後端にジョイント部を、それぞれ結合して形成し、このジョイント部と、スライダーとを連結具によって連結することにより、インク芯とスライダーとを一体的に連結したことを特徴とする請求項１または２に記載の筆記具。
【請求項４】
スライダーを、本体軸に、軸方向に摺動自在に外嵌させた環状スライダーとするとともに、本体軸における直径方向の両端位置に、それぞれ軸方向の長孔を穿設し、連結具をインク芯におけるジョイント部と、前記両長孔とを貫通させて、連結具の両端を前記環状スライダーの両周面に止着させることにより、インク芯とスライダーとを一体的に連結したことを特徴とする請求項３記載の筆記具。
【請求項５】
回転子を筒状回転子とし、ノック棒を、前記筒状回転子に内嵌させる筒状部と、この筒状部の後端に設けた鍔部とより形成し、ノック棒における筒状部と、インク芯におけるジョイント部の後端とを係止することにより、インク芯の後端をノック棒と係止させたことを特徴とする請求項３または４に記載の筆記具。
【請求項６】
筒状回転子の外周面に設けた係合片と、ノック棒における鍔部の外周面に設けた係合片とを、それぞれ本体軸における後部内周面に設けた係合溝に係合させるとともに、筒状回転子の後端周縁に設けた係合片を、ノック棒における鍔部の前面周縁に設けた係合片に係合させるようにして、ノック機構を形成したことを特徴とする請求項５記載の筆記具。
【発明の詳細な説明】
【０００１】
【発明の属する技術分野】
本発明は、クリップを取り付けた筆記具、特にインク芯を内蔵し、不使用時には、服のポケット等に前記クリップで止めて携帯しうるボールペンに関する。
【０００２】
【従来の技術】
クリップを取り付けたボールペンなどの筆記具は、携帯に便利であるため、一般に広く使用されている。しかし、誤ってインク芯の前端を本体軸から突出させたままポケットに携帯したり、あるいは携帯中、たとえば満員電車内などにおいて、不意の負荷により、ボールペンにおけるノック棒が押されて、インク芯の前端が本体軸から突出し、服を汚損してしまう虞れがあった。これを防止するため、従来、種々の創作（たとえば、特許文献１、実用新案文献１、同２参照）がなされ、実施されているものもある。
【０００３】
【特許文献１】
特開平１０−２７８４８２
【実用新案文献１】
実開平６−１７９９０
【実用新案文献２】
実開平６−４６９８２
【０００４】
しかし、上記のものの多くは、構造が複雑でありコスト高となり、また操作に難点があるものもある。
【０００５】
【発明が解決しようとする課題】
本発明は、前記現状に鑑み、比較的簡単な構造で、コストアップを抑制するとともに、インク芯の前端を突出させたままでは、クリップの開脚操作ができず、服の汚損を確実に防止することのできる筆記具を提供することを目的とする。
【０００６】
【課題を解決するための手段】
本発明は、前記目的を次の手段によって解決する。
（１）　クリップポイントを有するクリップを取り付けた本体軸内に、インク芯を内蔵させ、このインク芯と、前記本体軸の外周面上を軸方向に摺動自在に設けたスライダーとを、本体軸に軸方向に穿設した長孔を介して、連結具によって一体的に連結するとともに、本体軸の後部内周面に設けた係合溝と、この係合溝に係合する回転子と、ノック棒とよりなるノック機構を設けて、前記インク芯の後端をノック棒と係止させ、前記スライダーを軸方向に摺動させることによって、インク芯の前端が、本体軸の前端開口から突出する使用状態と、インク芯の前端が、本体軸内に没入する不使用状態とになし得るようにし、かつ使用状態においては、スライダーと、クリップにおけるクリップポイントとを係合させることによって、クリップの開脚を阻止するとともに、不使用状態においては、前記係合が解除され、クリップが開脚自在となるようにしたことを特徴とする筆記具とする。
【０００７】
（２）　上記（１）項において、クリップポイントの先端に膨大部を設けるとともに、スライダーの外表面に、溝底部が拡幅し、本体軸の軸方向を向く溝部を設け、使用状態においては、クリップポイントの前記膨大部が、スライダーにおける前記拡幅した溝底部に係合して、クリップの開脚が阻止され、かつスライダーを本体軸の軸方向の後方に摺動させることによって、不使用状態になるとともに、前記係合が解除され、クリップが開脚自在となるようにする。
【０００８】
（３）　上記（１）項または（２）項において、インク芯を、インク収容部の前端にボールチップを、後端にジョイント部を、それぞれ結合して形成し、このジョイント部と、スライダーとを連結具によって連結することにより、インク芯とスライダーとを一体的に連結する。
【０００９】
（４）　上記（３）項において、スライダーを、本体軸に、軸方向に摺動自在に外嵌させた環状スライダーとするとともに、本体軸における直径方向の両端位置に、それぞれ軸方向の長孔を穿設し、連結具をインク芯におけるジョイント部と、前記両長孔とを貫通させて、連結具の両端を前記環状スライダーの両周面に止着させることにより、インク芯とスライダーとを一体的に連結する。
【００１０】
（５）　上記（３）項または（４）項において、回転子を筒状回転子とし、ノック棒を、前記筒状回転子に内嵌させる筒状部と、この筒状部の後端に設けた鍔部とより形成し、ノック棒における筒状部と、インク芯におけるジョイント部の後端とを係止することにより、インク芯の後端をノック棒と係止させる。
【００１１】
（６）　上記（５）項において、筒状回転子の外周面に設けた係合片と、ノック棒における鍔部の外周面に設けた係合片とを、それぞれ本体軸における後部内周面に設けた係合溝に係合させるとともに、筒状回転子の後端周縁に設けた係合片を、ノック棒における鍔部の前面周縁に設けた係合片に係合させるようにして、ノック機構を形成するようにする。
【００１２】
【発明の実施の形態】
図１は、本発明をボールペンに適用した実施形態における、不使用状態、すなわち筆記状態でないときの正面図、図２、図３は、それぞれ図１におけるＩＩ〜ＩＩ線縦断面図、ＩＩＩ〜ＩＩＩ線横断面図である。図４は、図３における仮想線円内の部分拡大図である。
【００１３】
本発明の筆記具であるボールペン（１）は、インク芯（２）およびノック機構（３）を内蔵させた本体軸（４）と、この本体軸（４）の外周面（４ａ）上を軸方向に摺動自在に設けたスライダー（５）とよりなる。
【００１４】
インク芯（２）は、インク収容部（６）の前端にボールチップ（７）を、後端にジョイント部（８）を、それぞれ結合して形成されている。
【００１５】
本体軸（４）は、筒軸（９）の前端に先端金具（１０）を結合し、後端にキャップ（１１）を被冠して形成されている。先端金具（１０）の後端近傍の内周面には、段部（１０ａ）が形成され、インク芯（２）における中央部のやや前方には、突起部（１２）が設けられている。これらの段部（１０ａ）と突起部（１２）との間には、圧縮コイルばね（１３）が配設され、インク芯（２）を、後方に押圧し、前端のボールチップ（７）を、本体軸（４）内に没入させた状態で、安定的に保持しうるようになっている。
【００１６】
インク芯（２）におけるジョイント部（８）の後端（８ａ）は、ノック機構（３）と結合されている。
【００１７】
図４に示すように、ノック機構（３）は、本体軸（４）の後部内周面（４ｂ）に軸方向に設けられた係合溝（１４）と、この係合溝（１４）に係合する回転子（１５）と、ノック棒（１６）とよりなる。
【００１８】
これら係合溝（１４）、回転子（１５）およびノック棒（１６）の３者よりなるノック機構（３）は、ノック式筆記具において従来広く使用されている周知のノック機構、すなわちカール氏の発明によるロータリノック機構（特公昭３４−７１８１号公報）と実質的に同一である。
【００１９】
本発明においては、ノック棒（１６）は、本体軸（４）から外部に露出しておらず、ノック棒（１６）の前端がジョイント部（８）の後端（８ａ）に係止されており、このジョイント部（８）に一体的に取り付けられ、本体軸（４）の外周面（４ａ）上に露出しているスライダー（５）を、軸方向の前方に摺動させることによって、ノック棒（１６）を前方にノックし得るようになっている。
【００２０】
すなわち、回転子（１５）は、底部中央に軸孔（１５ａ）を穿設した有底筒状体の形状を有し、開放端（１５ｂ）を前側、底部（１５ｃ）を後側にして本体軸（４）の後部内に配設されている。
【００２１】
回転子（１５）の外周面（１５ｉ）には、本体軸（４）の内周面（４ｂ）に軸方向に設けられた係合溝（１４）と係合する係合片（１５ｄ）が設けられている。
【００２２】
ノック棒（１６）は、筒状部（１６ａ）と、この筒状部（１６ａ）の後端に設けた鍔部（１６ｂ）とよりなり、筒状部（１６ａ）が回転子（１５）の軸孔（１５ａ）から挿入されて、回転子（１５）に内嵌されている。
【００２３】
ノック棒（１６）における鍔部（１６ｂ）の前面周縁には、回転子（１５）の後端周縁に設けられた係合片（１５ｊ）と係合する係合片（１６ｃ）が設けられるとともに、鍔部（１６ｂ）の外周面には、本体軸（４）における前記係合溝（１４）と係合する係合片（１６ｄ）が設けられている。
【００２４】
インク芯（２）におけるジョイント部（８）の後端（８ａ）中央には、膨大頭部（１７ａ）を有する連結ピン（１７）が設けられ、この膨大頭部（１７ａ）を、ノック棒（１６）における筒状部（１６ａ）内に挿入し、筒状部（１６ａ）の内周面（１６ｅ）の前部に設けられた段部（１６ｆ）に、前記膨大頭部（１７ａ）の前端（１７ｂ）を係止させることにより、ノック棒（１６）をジョイント部（８）の後端（８ａ）に係止させてある。
【００２５】
回転子（１５）の内周面（１５ｅ）と、ノック棒（１６）の外周面（１６ｇ）との間隙には、ジョイント部（８）の後端（８ａ）と、回転子（１５）における後端内面（１５ｆ）との間に、圧縮コイルばね（１８）が配設されている。
【００２６】
この圧縮コイルばね（１８）は、回転子（１５）を後方に押圧し、回転子（１５）の後端周縁に設けられた係合片（１５ｊ）と、ノック棒（１６）における鍔部（１６ｂ）の前面周縁に設けた係合片（１６ｃ）との係合を容易にする作用を有している。
【００２７】
スライダー（５）は、本体軸（４）の外周面（４ａ）に遊嵌し得る環状体（５ａ）よりなり、環状体（５ａ）の外周面（５ｂ）には、操作時の滑り止め用の突起（５ｃ）が設けられている。
【００２８】
このスライダー（５）は、結合具（１９）を用いて、ジョイント部（８）に取り付けられている。
【００２９】
結合具（１９）は、表面に滑り止め用の突起（１９ａ）が設けられた長円板状頭部（１９ｂ）の裏面に２本の結合ピン（１９ｃ）（１９ｃ）が立設されており、この結合ピン（１９ｃ）（１９ｃ）を、スライダー（５）に穿設された孔（５ｄ）（５ｄ）を通して、ジョイント部（８）を貫通させ、前記結合ピン（１９ｃ）の両端をスライダー（５）の両周面に止着させることにより、スライダー（５）を、ジョイント部（８）を介してインク芯（２）に一体的に取り付けてある。
【００３０】
スライダー（５）を、本体軸（４）における直径方向の両端位置に、それぞれ軸方向に穿設された長孔（４ｃ）（４ｃ）に沿って前方に摺動させることにより、ノック棒（１６）を容易に前方にノックすることができる。
【００３１】
図５〜図８は、インク芯（２）の前端を本体軸（４）から突出させて使用状態としたときを示す図であり、それぞれ図１〜図４に対応する図である。
【００３２】
前記のスライダー（５）を、前方に摺動させてノック棒（１６）をノックする毎に、ノック機構（３）の作用によって、交互に図５〜図８に示す使用状態と、図１〜図４に示す不使用状態とが繰り返される。
【００３３】
図１〜図４に示す不使用状態から、スライダー（５）を前方に摺動させて、図７、図８に示すように、回転子（１５）の後端（１５ｇ）を、本体軸（４）の内周面（４ｂ）に設けられた係合溝（１４）の前端縁（１４ａ）の位置まで前方に移動させると、回転子（１５）がわずかに回転し、回転子（１５）の外周面（１５ｉ）に設けられた係合片（１５ｄ）の後端縁（１５ｈ）が、係合溝（１４）の前端縁（１４ａ）に係合し、インク芯（２）の前端が本体軸（４）の前端開口（４ｄ）から突出した状態のままで安定的に保持される。
【００３４】
筆記作業を終了して、インク芯（２）の前端を本体軸（４）内に収容する際には、再度、スライダー（５）を前方に摺動させて、ノック棒（１６）における鍔部（１６ｂ）の前面周縁に設けた係合片（１６ｃ）を、回転子（１５）の後端周縁に設けた係合片（１５ｊ）に係合させると、回転子（１５）がわずかに回転し、回転子（１５）の外周面（１５ｉ）に設けられた係合片（１５ｄ）の後端縁（１５ｈ）と、係合溝（１４）の前端縁（１４ａ）との係合が解除され、回転子（１５）が後方へ移動可能となり、再び、図３、図４に示した不使用状態に復帰する。
【００３５】
本体軸（４）の後端近傍には、クリップポイント（２０）を有するクリップ（２１）が取り付けられている。
クリップポイント（２０）の先端には、図２に示すように膨大部（２０ａ）が設けられている。
【００３６】
一方、スライダー（５）の外周面（５ｂ）には、溝底部（２２ａ）を拡幅させた、軸方向の溝部（２２）が設けられている。
【００３７】
図１に示す不使用状態においては、クリップ（２１）は、何ら拘束なく自由に開脚することができ、クリップ（２１）を開脚して、たとえば服のポケットの端縁にはさみ込んで携帯することができる。
【００３８】
しかし、図５に示すように、スライダー（５）を前方に摺動させて、インク芯（２）の前端を本体軸（４）の前端開口（４ｄ）から突出させて使用状態にした場合は、図５におけるＶＩ〜ＶＩ線縦断面図である図６に示すように、クリップ（２１）におけるクリップポイント（２０）の膨大部（２０ａ）が、前記スライダー（５）における拡幅した溝底部（２２ａ）に係合して、クリップ（２１）の開脚が阻止される。
【００３９】
このため、誤って、インク芯（２）の前端を本体軸（４）の前端開口（４ｄ）から突出させたままの状態で、クリップ（２１）を開脚して、ポケットにはさみ込んで収容し、服を汚損するといった不都合を防止することができる。
【００４０】
ポケットに収容する際には、スライダー（５）を後方に摺動させることにより、クリップポイント（２０）の膨大部（２０ａ）と、スライダー（５）の溝底部（２２ａ）との係合は解除され、クリップ（２１）の開脚が自在となり、容易にポケットにはさみ込んで収容することができる。
【００４１】
【発明の効果】
本発明によれば、次の効果が奏せられる。
（１）　請求項１記載の発明によれば、インク芯の前端を本体軸から突出させた筆記状態のままでは、クリップの開脚操作ができず、誤ってポケットにはさみ込んで収容し、服を汚損するといった不都合を確実に防止することができる。
また、比較的簡単な構造であるためコストアップを低減することができる。
【００４２】
（２）　請求項２記載の発明によれば、スライダーとクリップにおけるクリップポイントとを容易に係合させて、クリップの開脚を確実に阻止することができるとともに、前記係合の解除も容易である。
【００４３】
（３）　請求項３記載の発明によれば、ジョイント部は、インク収容部と異なり、穿孔してもインク漏れなどの虞れがなく、インク芯とスライダーとを容易に一体的に連結することができる。
【００４４】
（４）　請求項４記載の発明によれば、インク芯とスライダーとを容易かつ確実に一体的に連結することができる。
【００４５】
（５）　請求項５記載の発明によれば、インク芯と一体的に連結されたスライダーを軸方向の前方に摺動させることによって、ノック棒を容易にノックすることができるボールペンが得られる。
【００４６】
（６）　請求項６記載の発明によれば、良好に作動するノック機構を得ることができる。
【図面の簡単な説明】
【図１】
本発明をボールペンに適用した実施形態における、不使用状態の正面図である。
【図２】図１におけるＩＩ〜ＩＩ線縦断面図である。
【図３】図１におけるＩＩＩ〜ＩＩＩ線横断面図である。
【図４】図３における仮想線円内の部分拡大図である。
【図５】図１に示したボールペンの使用状態の一部破断して示した正面図である。
【図６】図５におけるＶＩ〜ＶＩ線縦断面図である。
【図７】図５におけるＶＩＩ〜ＶＩＩ線横断面図である。
【図８】図７における仮想線円内の部分拡大図である。
【符号の説明】
（１）ボールペン
（２）インク芯
（３）ノック機構
（４）本体軸
（４ａ）外周面
（４ｂ）内周面
（４ｃ）長孔
（４ｄ）前端開口
（５）スライダー
（５ａ）環状体
（５ｂ）外周面
（５ｃ）突起
（５ｄ）孔
（６）インク収容部
（７）ボールチップ
（８）ジョイント部
（８ａ）後端
（９）軸筒
（１０）先端金具
（１０ａ）段部
（１１）キャップ
（１２）突起部
（１３）圧縮コイルばね
（１４）係合溝
（１４ａ）前端縁
（１５）回転子
（１５ａ）軸孔
（１５ｂ）開放端
（１５ｃ）底部
（１５ｄ）係合片
（１５ｅ）内周面
（１５ｆ）後端内面
（１５ｇ）後端
（１５ｈ）後端縁
（１５ｉ）外周面
（１５ｊ）係合片
（１６）ノック棒
（１６ａ）筒状部
（１６ｂ）鍔部
（１６ｃ）（１６ｄ）係合片
（１６ｅ）内周面
（１６ｆ）段部
（１６ｇ）外周面
（１７）連結ピン
（１７ａ）膨大頭部
（１７ｂ）前端
（１８）圧縮コイルばね
（１９）結合具
（１９ａ）突起
（１９ｂ）長円板状頭部
（１９ｃ）結合ピン
（２０）クリップポイント
（２０ａ）膨大部
（２１）クリップ
（２２）溝部
（２２ａ）溝底部
【図１】
2004122733.tif 000003
【図２】
2004122733.tif 000004
【図３】
2004122733.tif 000005
【図４】
2004122733.tif 000006
【図５】
2004122733.tif 000007
【図６】
2004122733.tif 000008
【図７】
2004122733.tif 000009
【図８】
2004122733.tif 000010